(57)【要約】【課題】ユーザが意図して日付の入力をしなくとも、記念日の思い出を想起させることができる情報配信装置を提供すること。【解決手段】サーバ１００は文書データ記録部１０１に記録されている文書から、日付に関する記述を抽出し、抽出した日付に関する記述に従って、文書と画像の少なくとも一方の再生許可時期を判定する。そして、再生許可時期になった場合に、サーバ１００は文書と画像の少なくとも一方を提供するＰＣ２００、３００のディスプレイ上に表示させる。【選択図】      図１
2008269149.tif 000002
【特許請求の範囲】
【請求項１】
少なくとも、日付に関する記述が含まれた文書を記録する文書記録部と、
前記文書と対応付けられた画像を記録する画像記録部と、
前記文書から、前記日付に関する記述を抽出し、該抽出した日付に関する記述に従って、前記文書と前記画像の少なくとも一方の再生を許可する時期を判定する再生許可時期判定部と、
前記判定された時期に、前記文書と前記画像の少なくとも一方を提供する情報提供部と、
を具備することを特徴とする情報配信装置。
【請求項２】
少なくとも前記判定された時期までは、前記文書及び前記画像の提供を禁止する情報提供禁止部をさらに具備することを特徴とする情報配信装置。
【発明の詳細な説明】
【技術分野】
【０００１】
ユーザが作成したコンテンツを所定の時期にユーザに配信する情報配信装置に関する。
【背景技術】
【０００２】
従来、ユーザに誕生日等の記念日の思い出を想起させる提案の１つとして、例えば特許文献１においては、ユーザによって誕生日等の記念日の日付と、それに伴って入力される文字、音声、音楽等の再生時期とを入力させ、この再生時期になったときに、予めユーザによって入力された文字、音声、音楽等を再生することで、ユーザに、誕生日等の記念日がやってきたことを思い出させることができるようにしている。
【特許文献１】特開２００１−２４９６６号公報
【発明の開示】
【発明が解決しようとする課題】
【０００３】
ここで、特許文献１の手法は、ユーザが意図して記念日の日付や、文字、音声、音楽等の再生時期を入力する必要があるため、手間がかかりやすい。
【０００４】
本発明は、上記の事情に鑑みてなされたもので、ユーザが意図して日付の入力をしなくとも、記念日の思い出を想起させることができる情報配信装置を提供することを目的とする。
【課題を解決するための手段】
【０００５】
上記の目的を達成するために、本発明の第１の態様の情報配信装置は、少なくとも、日付に関する記述が含まれた文書を記録する文書記録部と、前記文書と対応付けられた画像を記録する画像記録部と、前記文書から、前記日付に関する記述を抽出し、該抽出した日付に関する記述に従って、前記文書と前記画像の少なくとも一方の再生を許可する時期を判定する再生許可時期判定部と、前記判定された時期に、前記文書と前記画像の少なくとも一方を提供する情報提供部とを具備することを特徴とする。
【発明の効果】
【０００６】
本発明によれば、ユーザが意図して日付の入力をしなくとも、ユーザが意図して日付の入力をしなくとも、記念日の思い出を想起させることができる情報配信装置を提供することができる。
【発明を実施するための最良の形態】
【０００７】
以下、図面を参照して本発明の実施形態を説明する。  
図１は、本発明の一実施形態における情報配信装置を含む情報配信システムの構成を示す図である。図１に示す情報配信システムは、情報配信装置としてのサーバ１００を有し、このサーバ１００が、ネットワーク４００を介してパーソナルコンピュータ（ＰＣ）２００、３００とデータ通信自在に接続されている。
【０００８】
サーバ１００は、ユーザによって作成されたコンテンツ（ここでは例として文書と画像とを含むコンテンツ）を記録するとともに、この作成されたコンテンツを所定の条件に従ってＰＣ２００、３００に提供する。このサーバ１００は、文書データ記録部１０１と、画像データ記録部１０２と、再生許可時期判定部１０３と、記念日データベース１０４とを有している。
【０００９】
文書データ記録部１０１は、ユーザによってＰＣ２００から入力された文書コンテンツを文書データとして記録する。画像データ記録部１０２は、ユーザによってＰＣ２００から入力された画像コンテンツを画像データとして記録する。
【００１０】
再生許可時期判定部１０３は、文書データ記録部１０１の文書データ中から、誕生日等の記念日を示す記述を抽出し、この抽出した記念日に基づいて、文章データ及びそれに関連付けられる画像データの再生許可時期を判定するとともに、判定した再生許可時期がくるまで、その文章データ及び画像データの再生を禁止する。記念日データベース１０４は、記念日とその記念日に対応して設定される再生許可時期とを対応付けて記録したデータベースである。例えば、「誕生日」を示す記述（「誕生日」の他、「子供が生まれた」等の記述を含めるようにしても良い）の場合には再生許可時期として例えば毎年の誕生日（即ち、１年毎）や成人式（誕生日から２０年後）が対応付けられる。また、「入学式」を示す記述（単に「入学」等も含まれる）の場合には再生許可時期として例えば卒業式（入学式の年から６年又は３年後の３月）が対応付けられる。「結婚式」を示す場合には、例えば結婚記念日（即ち、１年毎）が対応付けられる。
【００１１】
ＰＣ２００、３００は、ウェブページをブラウジングするためのソフトウェアがインストールされ、ウェブページ上で文章の入力操作や画像の入力操作等の各種の操作を行うためのマウスやキーボードといった操作部や液晶ディスプレイ等の表示部を有するコンピュータである。
【００１２】
以下、図１に示す情報配信システムの動作について図２を参照して説明する。ここで、以下の説明においては、ユーザが作成する文書が日付情報を含む日記文書である場合を例に説明する。
【００１３】
まず、ユーザはＰＣ２００を操作してサーバ１００にアクセスし、サーバ１００の制御によりＰＣ２００の表示部上に表示されたウェブページ上で日記文書を作成する。また、必要に応じてこの作成した日記文書に画像を貼り付けしたりする。このようにして日記文書が作成されると、サーバ１００は作成された日記文書に関連付けられた（貼り付けされた）画像があるか否かを判定する（ステップＳ１）。ステップＳ１の判定において、日記文書に関連付けられた画像がある場合、サーバ１００はユーザによって作成された日記文書を文書データ記録部１０１に記録させるとともに、日記文書に関連付けられた画像を日記文書と関連付けて画像データ記録部１０２に記録させる（ステップＳ２）。一方、ステップＳ１の判定において、日記文書に関連付けられた画像がない場合、サーバ１００はユーザによって作成された日記文書を文書データ記録部１０１に記録させる（ステップＳ３）。
【００１４】
ステップＳ２又はステップＳ３の後、サーバ１００は、ユーザによって作成され、文書データ記録部１０１に記録された日記文書を読み出し、読み出した日記文書を再生許可時期判定部１０３によって解析する（ステップＳ４）。具体的には、読み出した日記文書の文章を単語単位に分解する処理を行う。その後、サーバ１００は、再生許可時期判定部１０３によって、分解した単語と記念日データベース１０４に記録されている記念日を示す単語とを比較し、略一致する単語を、記念日を示す単語として日記文書から抽出する（ステップＳ５）。
【００１５】
ステップＳ５の後、サーバ１００は、記念日を示す単語が抽出できたか否かを判定する（ステップＳ６）。ステップＳ６の判定において、記念日を示す単語が抽出できた場合に、サーバ１００は、抽出した記念日から再生許可日を、記念日データベース１０４を参照して算出し、算出した再生許可日を日記文書又は画像の再生許可日に設定する（ステップＳ７）。
【００１６】
ここで、日記文書の場合には、文書の作成日付と日記内に記述された内容が起こった日付とが同じ場合が多いので、日記文書の作成日（○年△月□日）をそのまま記念日と判定し、その日を基準にして再生許可日を判定すれば処理を簡単化することができる。ただし、日記文書の作成日付と日記文書中に記述されている内容が起こった日付とは必ずしも一致していない場合がある。例えば、日記文書中に「昨日」等の記述がある場合には、日記の内容が起こったのは日記の作成日付の１日前になるので、文章内に「昨日」等の日付が存在する場合には、それに応じて日付をずらして記念日を判定することが望ましい。なお、日記文書中に記念日を示す記述とともに、日付を直接示す記述（「△月□日」等）がなされている場合には、その日付を記念日と判定するようにしても良い。
【００１７】
また、ステップＳ６の判定において、記念日を示す単語が抽出できなかった場合に、サーバ１００は、ユーザに再生許可日の入力を促し、ユーザによって入力された再生許可日を日記文書又は画像の再生許可日に設定する（ステップＳ８）。なお、ステップＳ８の手動による再生許可日の入力は必ずしも行わなくとも良い。
【００１８】
その後、サーバ１００は、ＰＣ２００やＰＣ３００のユーザから、日記文書や画像の再生指示がなされたか否かを判定する（ステップＳ９）。ステップＳ９の判定において、日記文書や画像の再生指示がなされていない場合に、サーバ１００は、現在の日付がステップＳ７又はステップＳ８において設定された再生許可日であるか否かを判定する（ステップＳ１０）。ステップＳ１０の判定において、現在の日付が再生許可日である場合に、サーバ１００はフラグ等を設定することにより、再生許可日になった日記文書及び画像の再生を許可する（ステップＳ１１）。その後、ＰＣ２００やＰＣ３００のディスプレイ上に日記文書及び画像を再生する（ステップＳ１２）。その後、図２の処理を終了する。なお、ステップＳ１２においては、日記文書と画像の何れか一方のみを再生するようにしても良いし、日記文書及び画像の再生を促すメッセージのみを再生するようにしても良い。
【００１９】
また、ステップＳ９の判定において、日記文書や画像の再生指示がなされている場合に、サーバ１００は、再生指示がなされた日記文書や画像の再生が許可されているか否かを判定する（ステップＳ１３）。ステップＳ１３の判定において、再生指示がなされた日記文書や画像の再生が許可されている場合に、サーバ１００は、再生指示がなされた日記文書又は画像をＰＣ２００やＰＣ３００のディスプレイ上に再生する（ステップＳ１４）。その後、図２の処理を終了する。一方、ステップＳ１３の判定において、再生指示がなされた日記文書や画像の再生が許可されていない場合に、サーバ１００は日記文書及び画像の再生を行わずに図２の処理を終了する。なお、この場合には、日記文書又は画像の再生が許可されていない旨を示すメッセージを再生するようにしても良い。
【００２０】
以上説明したように、本実施形態によれば、ユーザが作成した文書中の記述から記念日の日付を特定し、特定された記念日から求められる再生許可日に文書や画像の再生を行うようにすることで、ユーザが意図して日付の入力をしなくとも、記念日の思い出を想起させることができる。
【００２１】
また、再生許可日でない文書や画像の再生を禁止するようにすることで、本実施形態の情報提供装置に、タイムカプセルのような機能を持たせることも可能である。なお、ステップＳ９、Ｓ１１、Ｓ１３、Ｓ１４の処理は省略することもできる。
【００２２】
以上実施形態に基づいて本発明を説明したが、本発明は上述した実施形態に限定されるものではなく、本発明の要旨の範囲内で種々の変形や応用が可能なことは勿論である。例えば、上述した実施形態では、文書と、文書に関連付けられた画像とを再生する例について説明しているが、文書と関連付けられていれば画像以外のコンテンツを再生できるようにしても良い。例えば、文書と、文書に関連付けられた音楽を再生できるようにしても良い。
【００２３】
また、上述した実施形態では、文書の例として日記文書を示しているが、必ずしも日記文書である必要はない。例えば、画像に対するコメント等を利用しても良い。例えば、コメント等から記念日の単語を抽出できた場合には、それに関連付けられた画像の作成日時を記念日とすれば良い。
【００２４】
また、上述した実施形態では情報配信装置の例としてサーバ１００を示しているが、サーバ１００と同様の構成をデジタルカメラ等に持たせても、上述した実施形態の効果を得ることが可能である。
【００２５】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【図面の簡単な説明】
【００２６】
【図１】本発明の一実施形態における情報配信装置を含む情報配信システムの構成を示す図である。
【図２】本発明の一実施形態における情報配信システムの動作について説明するためのフローチャートである。
【符号の説明】
【００２７】
１００…サーバ、１０１…文書データ記録部、１０２…画像データ記録部、１０３…再生許可時期判定部、１０４…記念日データベース、２００，３００…パーソナルコンピュータ（ＰＣ）、４００…ネットワーク
【図１】
2008269149.tif 000003
【図２】
2008269149.tif 000004